(57)【要約】      （修正有）【課題】電源供給装置における導線アウトレット構造の提供。【解決手段】マザーボード専用ケーブル束３１の１組及び周辺機器用ケーブル束３２の１組により構成される。その特徴は、当該周辺機器用ケーブル束は電源ケーブル１組が回路基板３２２の入出力端子に連結されることにある。当該回路基板には接続ケーブル端子４〜８個を設け、これら接続ケーブル端子は回路基板のプリント回路と電源ケーブルを用いて連結する。そして組み合わせて使用する際は、電源供給装置１から接続される電源ケーブルの数量が節約でき、周辺機器の電源ケーブルとの接続も便利になる。そのためＰＣ内部の回路が整然とし美観が保てるのである。【選択図】図１
0003130254.tif 000002
【実用新案登録請求の範囲】
【請求項１】
電源供給装置のケース壁面にあるケーブル出し口に、コンピュータ内の設備に使用される導線アウトレット構造が突き抜けるように設けられ、当該導線アウトレット構造はマザーボード専用ケーブル束１組と周辺機器用ケーブル束１組により構成され、
その特徴は、該周辺機器用ケーブル束が電源ケーブル１組により回路基板の入出力端子に接続されることにあり、当該回路基板は接続ケーブル端子４〜８個を設け、これら接続ケーブル端子は回路基板のプリント回路と電源ケーブルを用いて接続されることを特徴とする電源供給装置における導線アウトレット構造。
【請求項２】
電源ケーブルは該回路基板の入出力端子にはんだ付けされることを特徴とする請求項１記載の電源供給装置における導線アウトレット構造。
【請求項３】
電源ケーブルはコネクタにより回路基板の入出力端子の導電ピンに差込み接続されることを特徴とする請求項１記載の電源供給装置における導線アウトレット構造。
【請求項４】
電源ケーブルはコネクタにより該回路基板の入出力端子から伸びたコネクタに対応していることを特徴とする請求項１記載の電源供給装置における導線アウトレット構造。
【請求項５】
当該電源ケーブルと回路基板に接続される入出力端子に近い位置に、ＥＭＩボックスまたはフィルターチップを更に取り付けることを特徴とする請求項１記載の電源供給装置における導線アウトレット構造。
【請求項６】
当該回路基板の適切な位置に１つまたは１つ以上のＬＥＤランプを設け、当該ＬＥＤランプと回路基板の電源が電気回路を形成することを特徴とする請求項１記載の電源供給装置における導線アウトレット構造。
【請求項７】
当該ＬＥＤランプはインジケータであることを特徴とする請求項６記載の電源供給装置における導線アウトレット構造。
【請求項８】
当該ＬＥＤランプは白光を発することができる照明灯であることを特徴とする請求項６記載の電源供給装置における導線アウトレット構造。
【考案の詳細な説明】
【技術分野】
【０００１】
本考案は「電源供給装置における導線アウトレット構造」に関するもので、特にコンピュータの電源供給装置における電源出力用の導線アウトレット構造を指す。本考案は主に、そのうち周辺機器用ケーブル束の接続ケーブル端子台４〜８個を回路基板に統合させることで、電源ケーブルの数量が節約でき、取り外しに便利でＰＣ内部が更に整然とし美観が保てるものである。
【背景技術】
【０００２】
現在コンピュータはほぼ各世帯または各企業、店舗にまで及ぶ普及率を見せている。そしてコンピュータ内のＣＰＵ、マザーボード、インターフェースカード（例：ビデオカード、サウンドカード）、ハードディスク、フロッピー（登録商標）ディスク及び光ディスクドライブ等を設けるものがあり、それらは電源供給装置により必要な電源の提供を受け始めて作動する。周辺機器ごとに使用する電圧が若干異なるため、周知の電源供給装置の導線アウトレット構造（図５参照）については、該電源供給装置（５０）のケース（５１）にあるケーブル出し口（５１１）から伸び出た電源ケーブルは、マザーボード専用ケーブル束（５２）１組のほかにも、他に周辺機器用ケーブル束（５３）数組を設ける。しかし該周辺機器用ケーブル束（５３）の場合は接続ケーブル１本によるか、または周辺機器に直接接続して使用され、該電源供給装置（５０）のケーブル出し口（５１１）から電源ケーブル多数組（一般にはケーブル合計５組、２４本の導線以上に供するもの）が伸び出ている。そのため多くの線材を浪費するばかりでなく、無駄なコストもかかってしまい、また、ケース内部はスペースが限られているため、ケーブルで込み合い乱雑になり使用が更に不便になってしまう。更には、もし当該電源供給装置（５０）の導線アウトレット構造に更に電磁波障害防止構造（周知の技術。図に表示なし）を設置する時は、マザーボード専用ケーブル束（５２）と周辺機器用ケーブル束（５３）１組ごとに対しても、同一の構造を設置しなければならず、無駄を重ねる形になってしまう。そのため上述した電源供給装置における周知の導線アウトレット構造は、まさに改めて研究開発する必要があるのである。
【０００３】
本案の考案者は上述した電源供給装置における周知の導線アウトレット構造に見られた欠点に鑑み、一心に研究を重ね、該製品の設計と製造に従事した長年の経験を積み重ねることで、ついに新しい「電源供給装置における導線アウトレット構造」の設計を成し遂げた。
【０００４】
本考案の主な目的は、コンピュータ用の電源供給装置における電源出力用導線アウトレット構造を提供することである。本考案は良好な拡張性と取り外しに便利という効果を有しているばかりでなく、ケーブル束が多すぎて線材コストが増加することを避けられ、狭いスペースで整理しにくいという欠点をも解決できるのである。
【０００５】
本考案の次の目的は、電源供給装置における電源出力用導線アウトレット構造を提供することである。この構造では該周辺機器用ケーブル束の回路基板における電源ケーブルの入出力端子に、更にＥＭＩボックスまたはフィルターチップが設置でき、該製品の実用性を高めコスト削減が可能になる。
【０００６】
本考案のもう一つの目的は、電源供給装置の電源出力の導線アウトレット構造を提供することである。回路基板に１つまたは１つ以上のＬＥＤランプを設け、インジケータや照明灯として使用できる。
【考案の開示】
【考案が解決しようとする課題】
【０００７】
上記の目的を達成するため、本考案である電源供給装置における導線アウトレット構造は、コンピュータ内部の設備に使用される導線アウトレット構造が、電源供給装置のケース壁面にあるケーブル出し口を通り抜けるようにして設けられる。当該導線アウトレット構造はマザーボード専用ケーブル束と周辺機器用ケーブル束により構成される。また当該周辺機器用ケーブル束は電源ケーブル１組により回路基板に接続される入出力端子に接続され、当該回路基板が４〜８個の接続ケーブル端子台を設け、またこれら接続ケーブル端子台が該回路基板のプリント回路と電源ケーブルを利用し互いに導通、接続し合っていることを、その特徴にしている。
【０００８】
上記の構造のように、当該電源ケーブルと回路基板が接続する入出力端子にＥＭＩボックスまたはフィルターチップを設け、また当該回路基板の適切な位置に１つまたは１つ以上のＬＥＤランプを設け、当該ＬＥＤランプと回路基板の電源により電気回路を形成する。
【０００９】
上記組立構造を使用する時、そのうち当該電源供給装置のケース内から伸び出ている電源ケーブルは、マザーボード専用ケーブル束のほかには、ケーブル４〜６本（そのうち少なくとも１２Ｖ、５Ｖ、３.３Ｖの電圧線とアース線、シグナルケーブルそれぞれ１本ずつを含む）を使用するのみである。そのため電源供給装置から接続されている電源ケーブルの数量を効果的に節約し、線材コスト減少という効果がなし得るのである。さらにケーブルの量が大幅に減少されたことで、ＰＣケース内に取り付け使用する時、その内部のケーブル配線が更に整然とし美観が保てるのが見て取れる。また使用できるスペースも広がり、周辺機器の電源ケーブルとも接続しやすく、便利になる。
【００１０】
本考案の導線アウトレット構造が電磁波障害防止構造を取り付けた時、周辺機器用の電源ケーブルは１組にまで減少されるため、この組の電源ケーブルと回路基板に接続される入出力端子に近い位置にＥＭＩボックスまたはフィルターチップを取り付けさえすれば、後端で接続ケーブル端子台と互いに接続し合う設備は、この設備がどの接続ケーブル端子台を使用しても全て電磁波障害防止という効果が得られ、また取り付けのためのコストも節約できるのである。当該回路基板の適切な位置にＬＥＤランプを設け、もし当該ＬＥＤランプがそのうちの接続ケーブル端子台に属するプリント回路により回路を形成する時は、当該ＬＥＤランプは該接続ケーブル端子台のインジケータであってもよい。またもし該ＬＥＤランプが回路基板の入出力端子にある電源とが回路を形成し、かつ高パフォーマンスのホワイトＬＥＤである時、該ＬＥＤは照明灯として使用でき、狭く暗いＰＣケース内で補修を行う時に使用できるのである。
【課題を解決するための手段】
【００１１】
請求項１の考案は、電源供給装置のケース壁面にあるケーブル出し口に、コンピュータ内の設備に使用される導線アウトレット構造が突き抜けるように設けられ、当該導線アウトレット構造はマザーボード専用ケーブル束１組と周辺機器用ケーブル束１組により構成され、
その特徴は、該周辺機器用ケーブル束が電源ケーブル１組により回路基板の入出力端子に接続されることにあり、当該回路基板は接続ケーブル端子４〜８個を設け、これら接続ケーブル端子は回路基板のプリント回路と電源ケーブルを用いて接続されることを特徴とする電源供給装置における導線アウトレット構造としている。
請求項２の考案は、電源ケーブルは該回路基板の入出力端子にはんだ付けされることを特徴とする請求項１記載の電源供給装置における導線アウトレット構造としている。
請求項３の考案は、電源ケーブルはコネクタにより回路基板の入出力端子の導電ピンに差込み接続されることを特徴とする請求項１記載の電源供給装置における導線アウトレット構造としている。
請求項４の考案は、電源ケーブルはコネクタにより該回路基板の入出力端子から伸びたコネクタに対応していることを特徴とする請求項１記載の電源供給装置における導線アウトレット構造としている。
請求項５の考案は、当該電源ケーブルと回路基板に接続される入出力端子に近い位置に、ＥＭＩボックスまたはフィルターチップを更に取り付けることを特徴とする請求項１記載の電源供給装置における導線アウトレット構造としている。
請求項６の考案は、当該回路基板の適切な位置に１つまたは１つ以上のＬＥＤランプを設け、当該ＬＥＤランプと回路基板の電源が電気回路を形成することを特徴とする請求項１記載の電源供給装置における導線アウトレット構造としている。
請求項７の考案は、当該ＬＥＤランプはインジケータであることを特徴とする請求項６記載の電源供給装置における導線アウトレット構造としている。
請求項８の考案は、当該ＬＥＤランプは白光を発することができる照明灯であることを特徴とする請求項６記載の電源供給装置における導線アウトレット構造としている。
【考案の効果】
【００１２】
本考案である「電源供給装置における導線アウトレット構造」はまさに材料コストを節減し、使用も便利で、美観にも優れているという効果を果たしている。
【考案を実施するための最良の形態】
【００１３】
図１から図３に示したのは、該電源供給装置（１）がそのケース（１０）内に変圧器とレギュレータ等の電源回路（２０）を設けているものである。また該ケース（１０）の壁面はケーブル出し口（１１）を設け、電源回路（２０）出力端子に接続する導線アウトレット構造（３０）が伸び出て、コンピュータ内の設備に必要な電源を供給する。当該導線アウトレット構造（３０）はマザーボード専用ケーブル束（３１）１組と周辺機器用ケーブル束（３２）１組により構成される。その特徴は、該周辺機器用ケーブル束（３２）が電源ケーブル（３２１）１組により回路基板（３２２）の入出力端子（３２２１）に接続されることにある。当該回路基板（３２２）には接続ケーブル端子台（３２３）４〜８個を設け、これら接続ケーブル端子台（３２３）の形式は各形式の周辺機器が使用する接続ケーブル（２）のプラグ対応位置（図１、図３参照）であり、回路基板（３２２）のプリント回路（３２２２）の設計を用いて、それぞれ電源ケーブル（３２１）と導通、接続する。またもし上記の構造を実施した時には、周辺機器用ケーブル束（３２）の回路基板（３２２）をケース（４０）内に設けることもできる（図４参照）。該ケース（４０）は開口部（４１）数か所を有し、それぞれが接続ケーブル端子台（３２３）を露出させ、握って使用するのに便利で、また製品の美観と経済的価値を高めるものである。
【００１４】
もし上記の電源ケーブル（３２１）と回路基板（３２２）が接続した時は、回路基板（３２２）の入出力端子（３２２１）の接点（図１参照）に直接はんだ付けをするか、コネクタ（３２１１）により回路基板（３２２）の入出力端子（３２２１）にある導電ピン部（図２参照）に差込み接続するか、または前述の２種の方式を総合させることができる。これら２種の方式ではそれぞれ電源ケーブル（３２１）の末端にコネクタ（３２１１）を、回路基板（３２２）の入出力端子（３２２１）に対応するコネクタを導線により延長接続し（図に表示なし）、オス・メスに対応する当該コネクタ２つに取り付け接続することが可能である。
【００１５】
上記の構造では、本考案の実施時には他にも該電源ケーブル（３２１）と回路基板（３２２）に近づき接続される出入力端子（３２２１）の位置にＥＭＩボックス（３３）（図２参照）を更に取り付けるか、または該回路基板（３２２）内部にフィルターチップ（３４）を設置し（図１に点線により表示）てもよい。これらにより該周辺機器用ケーブル束（３２）が電磁波障害防止で良好な効果が得られるのである。また該回路基板（３２２）の適切な位置に１つまたは１つ以上のＬＥＤランプ（３５）を設け（図２参照）、当該ＬＥＤランプ（３５）と回路基板（３２２）のプリント回路（３２２２）または回路基板入出力端子（３２２１）の電源により電気回路を形成することもできる。当該ＬＥＤランプ（３５）は、回路が導通しているかを示すインジケータ、またはＰＣケース内における照明灯として使用できるのである。
【００１６】
上記組立構造を使用する時、そのうち当該電源供給装置（１）のケース（１０）内から伸び出ている電源ケーブルは、マザーボード用ケーブル束（３１）が決められた数量である以外には、ケーブル４〜６本（そのうち少なくとも１２Ｖ、５Ｖ、３.３Ｖの電圧線とアース線、シグナルケーブルそれぞれ１本ずつを含む）を使用するのみである。そのため電源供給装置（１）から接続されている電源ケーブル（電線）の数量節約、線材コスト減少が効果的になし得る。さらに該電源ケーブルの数量が大幅に減少されたことで、ＰＣケース（１０）内に取り付け使用する時、その内部のケーブル配線が更に整然とし美観が保てるのが見て取れる。またＰＣケース（１０）内部のスペースも広がり、整然として美観が保たれ、また周辺機器の接続ケーブルとの差込み接続も便利になる。
【００１７】
次に、本考案記載の導線アウトレット構造（３０）に電磁波障害防止構造（ＥＭＩボックス（３３）またはフィルターチップ（３４））を設置する時は、周辺機器用ケーブル束（３２）はわずか電源ケーブル（３２１）１組にまで減少される。そのため、この組の電源ケーブル（３２１）と回路基板に接続される入出力端子（３２２１）に近いケーブルまたは回路基板に、ＥＭＩボックス（３３）またはフィルターチップ（３４）を取り付けさえすれば、後端で接続ケーブル端子台（３２３）と互いに接続し合う周辺設備（図では省略）は、この設備がどの接続ケーブル端子台を使用しても全て電磁波障害防止という効果が得られ、また電磁波障害防止構造取り付けのためのコストも節約できるのである。
【００１８】
本考案では該回路基板の適切な位置にＬＥＤランプ（３５）を設け、もし当該ＬＥＤランプ（３５）が接続ケーブル端子台（３２３）に属するプリント回路により回路を形成する時は、当該ＬＥＤランプ（３５）はこれと対応する接続ケーブル端子台（３２３）のインジケータであってもよい。またもし該ＬＥＤランプ（３５）が回路基板の入出力端子（３２２１）にある電源と回路を形成し、かつ高パフォーマンスのホワイトＬＥＤである時、該ＬＥＤランプ（３５）は照明灯として使用でき、狭く暗いＰＣ内で補修、または設備の組立を行う時に使用できるのである。そして更には該ホワイトＬＥＤ（３５）とそれに接続された電源の間にスイッチ（３６）を設置でき、当該ＬＥＤランプ（３５）の作動/停止を調整する。
【図面の簡単な説明】
【００１９】
【図１】本考案における電源供給装置の実施例を示した立体図である。
【図２】本考案における周辺機器用ケーブル束の別の実施例を示した分解図である。
【図３】図２の立体図である。
【図４】本考案における電源供給装置の更に別の実施例を示した立体図である。
【図５】周知の電源供給装置を示した立体外観図である。
【符号の説明】
【００２０】
１  電源供給装置
２  接続ケーブル
１０  ケース
２０  電源回路
３０  導線アウトレット構造
１１  ケーブル出し口
３１  マザーボード専用ケーブル束
３２  周辺機器用ケーブル束
３３  ＥＭＩボックス
３４  フィルターチップ
３５  ＬＥＤランプ
３６  スイッチ
３２１  電源ケーブル
３２２  回路基板
３２３  接続ケーブル端子台
３２１１  コネクタ
３２２１  入出力端子
３２２２  プリント回路
【図１】
0003130254.tif 000003
【図２】
0003130254.tif 000004
【図３】
0003130254.tif 000005
【図４】
0003130254.tif 000006
【図５】
0003130254.tif 000007